(57)【要約】【課題】  耐火・耐震・防湿・盗難防止を重要課題とする従来型土蔵は投資対効果の問題があり、一般的には永年新築されていない。そこで、従来の土蔵の優れた機能を備えた上、求め安い低価格で設置できる小型の蔵「ミニクラ」を提供することを目的とする。【解決手段】  箱状に構成されたミニクラの前面部に扉を設け、背面の上部に通気口を設け、屋根の小屋組の外面と壁面の外面および床面に、可撓性を有する板状の不燃断熱材を使用し、床面にはさら「防水モルタル」の仕上げをかけ、結露と共に湿気に対する処理を施した「不燃断熱材」と「コンクリート」との二重構造による結露防止効果に適したミニクラ。【選択図】  図１
0003118550.tif 000002
【実用新案登録請求の範囲】
【請求項１】
コンクリート製のボックス型構造物において、その屋根の小屋組の外面と壁面の外面および床の上面に、可撓性を有する板状の不燃断熱材を用いる、外断熱による外壁仕上げ工法であって、該不燃断熱材の表面に直接「防水モルタル」を塗布する外壁仕上げ工程を行うことにより、結露防止効果と共に湿気に対する効果を発揮することを特徴とする「不燃断熱材」と「コンクリート」との二重構造による外断熱方式の小型の蔵（ミニクラ）。
【考案の詳細な説明】
【技術分野】
【０００１】  本考案は、コンクリート製のボックス型構造物のミニクラに関するものであって、屋根の小屋組の外面と壁面の外面および床の上面に、板状の不燃断熱材を用いる、外断熱による外壁仕上げ工法を採用して、該不燃断熱材の表面に直接「防水モルタル」を塗布する外壁仕上げ工程を行うことにより、結露防止効果と共に湿気に対する効果を発揮させた「不燃断熱材」と「コンクリート」との二重構造による外断熱方式の小型の蔵（ミニクラ）に関するものである。
【背景技術】
【０００２】  従来から存在する土蔵・石蔵は、商家・農家等で家の格式を表す象徴の一つとして、施工には、多額な投資と長期の施工期間を要する構造のものであった。【０００３】  主な使用目的としては、商家の場合、仕入れ商品の貯蔵であり、その外では穀物・衣類・食器あるいは各種骨董品類に至るまでの貴重品を主に収納していた。【０００４】  しかし、社会構造が変化した現代では、価値観の相違からそのような土蔵の新築は、ほとんど見受けられなくなった。【０００５】  その反面、突発的に発生する震災や火災に備えて、小さくてもよいので、取りあえず最小限の必需品、例えば、医薬品・飲料水・当座の食料などを貯えておける場所があれば安心であり、必要性は高いと言える。【０００６】  本考案は、上記の社会構造の変化ならびにその変化から生じる具体的な必要性から、鑑みて工場生産のプレキャストのコンクリート製品としてのミニクラを安価かつ短納期で提供しようとしたものである。【０００７】  しかしながら、コンクリート製の構造物の場合は、室内外の温度差の発生を主原因とする結露の発生防止策が必要不可欠な課題であり、これを如何に克服するかがこの種類の構造物の成否に係わってくる。
【従来技術】
【０００８】  この課題を克服するための従来技術としてのコンクリート製の構造物に対する結露対策法に関する工法としては、「調湿性壁面パネル」がある（例えば、特許文献１参照）。また、「収蔵庫の壁構造」がある（例えば、特許文献２参照）。さらに、「文化財収納庫の二次壁工法」がある（例えば、特許文献３参照）。
【０００９】  以下、「特許文献１」・「特許文献２」および「特許文献３」により、従来のコンクリート製の構造物に対する結露対策法に関する技術・工法について、（１）〜（３）のとおり説明する。
【００１０】  （１）「特許文献１」の第１図ないし第４図に示されているように、調湿吸着剤を保有する調湿性パネルに関するものであり、これをコンクリート製の構造物の内部に設けたことを特徴とする内断熱方式に属する技術である。
【００１１】  すなわち、内部に結露などの不具合が発生することを前提としたところの対処療法的技術である。
【００１２】  （２）「特許文献２」の第１図ないし第１１図に示されているように、コンクリートを用いた耐火機能を有する一次壁を設け、この内側に二次壁として断熱吸湿材などで構成した合成パネルを設けた構造のものである。すなわち、「特許文献１」と同様の内断熱方式に属する技術である。
【００１３】  （３）「特許文献３」の第１図ないし第３図に示されているようにコンクリート壁面を一次下地壁として、調湿内壁材を形成する工法有することを特徴とする文化財収蔵庫の二次壁工法に関するものである。
【００１４】
【特許文献１】  特許１９８４５０１（第１図ないし第４図）「調湿性壁面パネル」平成１２年１月３０日年金不納による権利消滅
【特許文献２】  特許１７０９８９０（第１図）「収蔵庫の壁構造」平成１２年１０月１１日年金不納による権利消滅
【特許文献３】  特許２５４４６２９（第１図）「文化財収納庫の二次壁工法」存続期限満了日（平成１９年７月１５日）
【００１５】  以上が、従来のコンクリート製の構造物に対する結露対策法に関する技術・工法であり、いずれも結露対策に有効な外断熱工法ではなく、内部に結露が発生することを前提にした対処療法的な調湿工法である。
【考案の開示】
【考案が解決しようとする課題】
【００１６】  従来の土蔵の建築は、左官・大工・屋根工事など多数の職人による労働集約的施工方法であった。労働集約的施工のため、現在では高価な工事費を必要とし、また、熟練した職人の不足などから施工自体が困難な状況も発生している。【００１７】  特に、天井部分や壁材は、主として赤土を使用するが、採土後、土に粘性を発生させるために３年程度寝かせなければならない。その後の工程も、壁土付けは一定期間の自然乾燥を待ちながら数回にわたって繰り返し行うので施工期間が非常に長期化し、原土からの準備を含むと４〜５年を要する物件もある。【００１８】  要するに、耐火・耐震・防湿・盗難防止を重要課題とする従来型土蔵は投資対効果の問題があり、一般的には新築例はほとんど見られなくなった。そこで、本考案は、前記土蔵の優れた機能を備えた上、求め安い低価格で設置できる小型の蔵「ミニクラ」を提供することを目的とする。
【課題を解決するための手段】
【００１９】  上記の目的を達成するための本考案は、屋根の小屋組の外面と壁面の外面に、可撓性を有する板状の不燃断熱材を用いる、外断熱による外壁仕上げ工法であって、該不燃断熱材の表面に直接「防水モルタル」を塗布する外壁仕上げ工程を行うことにより、結露防止効果と共に湿気に対する効果を発揮することを特徴とする「不燃断熱材」と「コンクリート」との二重構造による外断熱方式の小型の蔵（ミニクラ）を提供するものである。【００２０】  なお、屋根に関しては、屋根の小屋組の外面に可撓性を有する板状の不燃断熱材を用い、該不燃断熱材の表面に直接「防水モルタル」を塗仕上げし、その外側に瓦を設置した構造にしている。【００２１】  本考案の「ミニクラ」は、鉄筋コンクリート製の５段積重ね方式とするが、輸送の関係で縦割り２分割とするので単体の数としては、１０個の部材で構成される。【００２２】  構成している１０個の部材は、小屋組（屋根）、側壁、底版の３種類からなるが、側壁のみ３段積に施工し、各単体の緊結は総て特殊な技法を用いている。特殊な技法として、固定器具（連結金具類）の活用と側壁の組合せに工夫を施している。
【考案の効果】
【００２３】  本考案のミニクラは、工場生産のプレキャスト製であるので、均質で品質の保証性を高くできる。また、コンクリートの欠点と言われてきた結露の対策も講じており、室内の湿気発生による結露の心配もない。【００２４】  設置現場では、イメージ的に「建てる」のではなく、「据え付ける」方式なので施工時間が大幅に短縮出来る。
【本考案を実施するための最良の形態】
【００２５】  本考案を実施するための最良の形態として、トレードオフ関係（二律背反関係）にある二つの事柄を最良にする必要がある。一つは、製造方法として工場生産のプレキャスト方式のコンクリート製品とし、均質で品質の保証性を高くできる「ミニクラ」としたことにより、コンクリート製品の強靱性、耐熱性、腐食性などその長所を遺憾なく発揮させることであり、他の一つは、重量物であることと結露を発生させやすいことおよびクラックが入りやすいなどのコンクリート製品の持つ宿命的な短所を如何にして克服するかである。
【００２６】  重量物であり、大型の構造物に対する最良の形態として、本考案では、鉄筋コンクリート製の５段積重ね方式とし、さらに輸送の関係で縦割り２分割とするので単体の数としては、１０個の部材で構成される。
【００２７】  この結果、大きさとしては、（長さ３．６ｍ）×（巾１．７ｍ）×（高さ０．７５ｍ）程度以下の外寸におさまり、重量としては、最大重量部材となる「底版ブロック」呼ばれる基礎兼床面（３，３４０ｍｍ×１，６７０ｍｍ×３５０ｍｍ）でも４．５トンであり、他の部材は、１．５トン内外であるので、輸送面・施工面に於ける課題は解消出来た。
【００２８】  結露に対する対策としての最良の形態のとして、外断熱方式を採用することにした。「従来技術」の欄に記載した結露対策は、ことごとく内断熱方式であるが、結露対策としては、外断熱の有効性は極めて高く、内断熱よりはるかに勝っている。
【００２９】  結露の発生は、背景となる作用因子が複雑であり、表面的にあらわれる室内外の温度差や湿度の相対関係だけで単純に防止出来るものではなく、構造物の気密化と暖房レベルさらに断熱材の正しい使い方も併せて考慮しなければならない。
【００３０】  暖房レベルに関しては、本考案の「ミニクラ」の内部では、暖房は、行わないので、この面に関しては、最良の形態であると言える。また、構造物の気密化を図るべく、後述の実施例に示すように最良の形態を考慮した構造と施工法を採用した。
【００３１】  コンクリート壁に対する外断熱は、コンクリートの非常に大きい熱容量を利用出来る利点がある。これは、コンクリートの蓄熱により構造物の内側の気温の安定性がよくなるからである。
【００３２】  コンクリートが外気側にあると、夏の日射によって熱応力を生じて拘束部分を中心にクラックが入る。あるいは冬の急激な夜間冷却があると、熱衝撃によってやはりクラックが生じる。このような熱によるコンクリート損傷を保護するのが外断熱である。
【００３３】  さらに断熱材の正しい使い方に関する最良の形態について以下に記載する。本考案では、可撓性のある不燃断熱材、例えば炭酸カルシウム系発泡断熱材（商品名：ロックセルボード）等を壁面（側壁ブロック）・屋根（小屋組ブロック）の外面と基礎兼床面（底版ブロック）の上面に取り付けることにした。
【００３４】  本考案には可撓性のある不燃性断熱材として、例えば炭酸カルシウム系発泡断熱板が好適に用いられる。成分ついては特に限定されないが、例えば炭酸カルシウムを主成分とした無機質充填剤５５〜７５重量部、有機系バインダー樹脂５〜１０重量部、水酸化マグネシウム２０〜３０重量部、および適量の発泡剤を混合した混合物を発泡させてなる炭酸カルシウム系発泡断熱板が適している。該発泡断熱板の大きさは任意であるが、厚さは通常５ｍｍ〜５０ｍｍ程度、好ましくは２５ｍｍ〜５０ｍｍである。
【００３５】  本考案の「ミニクラ」の基本型では、厚さ２５ｍｍの炭酸カルシウム系発泡断熱材（商品名：ロックセルボード）を使用している。密度は通常８０〜１００ｋｇ／ｍ３程度であり、圧縮強度は通常１．５〜２．０ｋｇｆ／ｃｍ２程度である。
その外の特性値（曲げ強度・引張強度・熱伝導率・吸水量・透湿抵抗など）に関しては、図８に記載している。
【００３６】  以上のように重量物であること・結露を発生しやすいこと・クラックが発生しやすいことなどなどの欠点に対して、分割構造を採用にする・外断熱工法を採用する・炭酸カルシウム系発泡断熱材（商品名：ロックセルボード）を採用するなどにより、最良の形態を実現出来るに至った。
【実施例】
【００３７】  以下、本考案の具体的な実施例を図面に基づいて説明する。本実施例のミニクラの本体（１）は図１〜図５に示すように、壁面（２）と屋根（３）および基礎兼床面（４）と３つの部材で箱状に構成されている。大きさとしては、床面積が１０ｍ２以内なるように基準型を（巾３ｍ）×（奥行き３ｍ）としており、建築の確認申請の手続きは不要であり、設置の煩わしさも省けるものとているが、必要により一辺３ｍを４ｍや５ｍなどにした正方形や矩形の寸法にも対応できるようにしている。【００３８】  さらに、輸送と組立施工を考慮して、各部材の大きさと重量軽減のため、本考案の「ミニクラ」は、鉄筋コンクリート製の５段積重ね方式とし、かつ、正面方向に左右を縦割り２分割としているので単体の数としては、１０個の部材で構成される。【００３９】  したがって、基準型を例にすると、基礎兼床面（４）は、矩形で左右対称の各一個（略３ｍ×略１．５ｍ）の「底版ブロック」と呼ばれる部材となり、これを左右に隣接設置して正方形状に水平に設置する。【００４０】  その上に設置する壁面（２）は“コの字（１．５ｍ・３ｍ・１．５ｍ）”形状の「側壁ブロック」と呼ばれる部材となり、図５に示すように各３段を垂直積みに施工する。なお、この各３段を垂直積みの２段目は、施工に当たって、２段目を、１段目と３段目に対して、“コの字”を９０度回転させた方向に積むことにより、接合面が垂直の一直線になるのを避けている。【００４１】  さらに「側壁ブロック」の上面と下面には、図７に示すように、互いに嵌め合いとなる凹凸を設けて水平方向へのズレを防止する形状にしている。さらに、成型時に「側壁ブロック」の上面と下面に埋設されている緊結ボールト用金具（１０）を緊結ボールト（１１）で締結する特殊な技法を施している。【００４２】  このように基礎兼床面（４）を水平に設置し、その上に、壁面（２）を垂直に設置した後、その上部に“への字”形状の「小屋組ブロック」と呼ばれる２つの部材を屋根（３）として、冠を被せるように施工する。
以上が、図１〜図４に示す外観のミニ蔵の構造の概要と施工手順の概略である。【００４３】  なお、屋根（３）に関しては、図１〜図４に示すように、屋根の流れを正面から見て前後にしているが、正方形の切妻屋根であるので、施主の好みによって、“への字”形状の「小屋組ブロック」を９０度回転した方向に冠を被せるように施工すれば、簡単に流れ方向を変更した仕様にも対応することも出来る。【００４４】  さらに、屋根は、図１ないし図４の屋根（３）のように和風瓦調を基本としているが、表面塗料の仕上げ色は、黒や茶のように選択することも出来る。また、壁面２の外壁の仕上げは、全面防水モルタル吹付やタイル張りの他、本物の蔵に似せて下方部分に図１ないし図４に示す装飾部材Ｄ（８）のように「なまこ壁」と呼ばれる菱形（格子）模様や六角（亀甲）模様を付けることも可能である。【００４５】  同様に、本物の蔵に似せて図１および図３に示すように壁面（２）の上方部分に装飾部材Ｃ（７）のように家紋を付けることも出来る。【００４６】  図５に示すように、本考案のミニクラは、本体（１）の構造に示すように、鉄筋コンクリート製であり、建築基準法で定める防火構造（不燃物壁の場合）厚み８０ｍｍ以上をクリアーしている。また、開口部の扉は鋼鉄製の複層とし、中の空間を断熱で不燃性の高い「可撓性を有する不燃断熱材」で詰める。ミニクラは、コンクリートと断熱材を併用した防火構造であり火災発生時に類焼を免れることが出来る。【００４７】  底版ブロックから側壁ブロックおよび小屋根ブロックに至る縦方向の各ブロックの上下間の緊結は、各ブロックの製作時にあらかじめ埋め込んだ緊結ボールト金具（１０）にφ１６の緊結ボールト（１１）を使用して締め付ける。【００４８】  さらに、左右の底版ブロック・側壁ブロック・小屋根ブロック同士間の緊結も同様に、各ブロックの製作時にあらかじめ水平方向に埋め込んだ緊結ボールト金具（１０）にφ１６の緊結ボールト（１１）を使用して締め付ける。
【産業上の利用可能性】
【００４９】  地上で耐震・耐熱・防湿・遮音性を必要とするあらゆる場所に適用出来るミニクラを提供する。基準型（３ｍ×３ｍ）は、床面積が１０ｍ２以内であり、建築申請の手続きは不要であり、設置の煩わしさも省ける。【００５０】  本考案における用途としては、優れた耐震・耐熱・防湿性を活かして、従来の土蔵にかわるミニクラとしているが、遮音性を活かして、カラオケボックスやピアノなどの楽器の演奏練習室など、ミニハウスとしての用途での利用可能性も極めて高い。【００５１】  この場合、基準型（３ｍ×３ｍ）は、床面積が１０ｍ２以内では、やや狭いので、建築申請の手続きは必要であるが床面積が１０ｍ２以上のものを設置することになる。さらに、通気口を換気口にして、強制換気を行い、照明等の居住性の向上が必要となる。【００５２】  本考案の完成品の現在の構造は、国立高等専門学校の建築学科に依頼した“鉄筋コンクリート構造（Ｒｅｉｎｆｏｒｃｅｄ  Ｃｏｎｃｒｅｔｅ  Ｓｔｒｕｃｔｕｒｅｓ）強度計算”と“建築材料試験（Ｅｘｐｅｒｉｍｅｎｔ  ｉｎ  Ｂｕｉｌｄｉｎｇ  Ｍａｔｅｒｉａｌｓ）などの総合的な技術検証の結果では、震度７に耐えることが判明している。【００５３】  これらから判断して、上記の用途以外に、防災備品の保管庫としての活用など産業上の利用可能性は多岐に広がり得るものと考える。
【図面の簡単な説明】
【００５４】
【図１】本考案のミニクラの左側面〜正面の斜視図である。
【図２】本考案のミニクラ正面図である。
【図３】本考案のミニクラ背面図である。
【図４】本考案のミニクラ側面図（左右同様）である。
【図５】図４のミニクラのＡ−Ａ′断面図である。
【図６】本考案のミニクラの側壁部上下緊結詳細を示す横断面図である。
【図７】本考案のミニクラの側壁部上下緊結詳細を示す縦断面図である。
【図８】本考案のミニクラに使用する可撓性を有する板状の不燃性の炭酸カルシウム系発泡断熱材（商品名：ロックセルボード）の特性値表である。
【符号の説明】
【００５５】  １  本体
２  壁面（側壁ブロック）
３  屋根（小屋組ブロック）
４  基礎兼床面（底版ブロック）
５  開口部Ａ（出入口）・・・・・・・・・・・［図１］［図２］［図４］
６  開口部Ｂ（通気口）・・・・・・・・・・・［図３］［図４］
７  装飾部材Ｃ（家紋）・・・・・・・・・・・［図１］［図４］
８  装飾部材Ｄ（壁面下部の模様仕上）・・・・［図１］〜図４］
９  板状の不燃断熱材（ロックセルボード）・・［図５］
１０  緊結ボールト用金具・・・・・・・・・・・［図６］［図７］
１１  緊結ボールト・・・・・・・・・・・・・・［図６］［図７］
【図１】
0003118550.tif 000003
【図２】
0003118550.tif 000004
【図３】
0003118550.tif 000005
【図４】
0003118550.tif 000006
【図５】
0003118550.tif 000007
【図６】
0003118550.tif 000008
【図７】
0003118550.tif 000009
【図８】
0003118550.tif 000010